(57)【特許請求の範囲】
【請求項１】
合成樹脂製の板状基部と、この板状基部の少なくとも一方の面に設けられたブラシ部と、前記板状基部に一体的に設けられた把持部とを備え、
前記板状基部には、その周縁部内側に沿うＵ字型のスリットが形成されていることを特徴とするブラシ。
【請求項２】
前記板状基部における前記ブラシ部が設けられた面と反対側の面における前記Ｕ字型のスリットで区画された内方の部位に、凹状に形成された指当て部が設けられていることを特徴とする請求項１記載のブラシ。
【発明の詳細な説明】
【０００１】
【発明の属する技術分野】
本発明は、ブラシに関する。主として、靴を洗うのに適したブラシに関するものである。
【０００２】
【従来の技術】
従来のブラシとしては、例えば、図３（ａ）に示すように、柄１の先端部分に複数本の毛からなるブラシ部２を植毛したものが知られている（特開平７−７５６０７号公報）。柄１の先端部分はスリット１ｄで２つの部位１ａ、１ｂに分割されており、これらの部位１ａ、１ｂはそれぞれ独立して撓むことができるようになっている。
また、従来の洗浄用具として、例えば図３（ｂ）に示すように、柄３の先端にボールジョイント４を介して洗浄用スポンジ５を取り付けたものが知られている（特開平８−１０７８７３号公報）。
【０００３】
【発明が解決しようとする課題】
例えば、図３（ａ）に示した従来のブラシは、柄１の先端部分がスリット１ｄで２つの部位１ａ、１ｂに分割されていて、これらの部位１ａ、１ｂはそれぞれ独立して撓むようになっているが、その撓みは、柄１の長手方向全長に亘って撓むため、この撓みの影響が、ブラシ部２が形成されている先端部分にも大きく及び、したがって、ブラシ部の先端面（複数本の毛の先端に接する面）が湾曲し易いという難点があった。
これに対し、例えば図３（ｂ）に示した従来の洗浄用具では、柄３の先端にボールジョイント４を介して洗浄用スポンジ５が取り付けられているので、スポンジの洗浄面５ａが大きく湾曲してしまうという事態は生じ難い。
しかしながら、このものは、ボールジョイント４を使用しているのでその構造が複雑であるという難点がある。
この発明の目的は、これらの難点を解決し、ブラシ部を設けた基部が回動可能でありながら、構造が簡単で、ブラシ部の先端面が湾曲し難いブラシを提供することにある。
【０００４】
【課題を解決するための手段】
上記の目的を達成するために請求項１記載のブラシは、合成樹脂製の板状基部と、この板状基部の少なくとも一方の面に設けられたブラシ部と、前記板状基部に一体的に設けられた把持部とを備え、前記板状基部には、その周縁部内側に沿うＵ字型のスリットが形成されていることを特徴とする。
請求項２記載のブラシは、請求項１記載のブラシにおいて、前記板状基部における前記ブラシ部が設けられた面と反対側の面における前記Ｕ字型のスリットで区画された内方の部位に、凹状に形成された指当て部が設けられていることを特徴とする。
【０００５】
【作用効果】
請求項１記載のブラシによれば、合成樹脂製の板状基部と、この板状基部の少なくとも一方の面に設けられたブラシ部と、前記板状基部に一体的に設けられた把持部とを備えているので、把持部をもってブラシ部で洗浄対象を洗浄することができる。
そして、前記板状基部には、その周縁部内側に沿うＵ字型のスリットが形成されているので、この板状基部は、Ｕ字型のスリットの両端部に対応する部位を中心として回動可能となる。しかも、この板状基部は、Ｕ字型のスリットの両端部に対応する部位を中心として回動可能となっているので、撓みが生じ難くなり、結果として、ブラシ部の先端面が湾曲し難くなる。
したがって、洗浄対象に対してブラシ面をフィットさせて洗浄することが可能となる。
また、板状基部は、Ｕ字型のスリットの両端部に対応する部位を中心として回動可能となっているので、ボールジョイント等が不要となり、構造が簡単になる。
以上のように、この請求項３記載のブラシによれば、ブラシ部を設けた基部が回動可能でありながら、構造が簡単で、ブラシ部の先端面が湾曲し難いという効果が得られる。
請求項２記載のブラシによれば、請求項１記載のブラシにおいて、前記板状基部における前記ブラシ部が設けられた面と反対側の面における前記Ｕ字型のスリットで区画された内方の部位に、凹状に形成された指当て部が設けられているので、この指当て部に指を当てて洗浄対象を強く洗浄することが可能となる。
【０００６】
【発明の実施の形態】
以下、本発明の実施の形態について図面を参照して説明する。
図１および図２は本発明に係るブラシの一実施の形態を示す図で、図１（ａ）は部分省略平面図、（ｂ）は部分省略正面図、（ｃ）は図（ａ）におけるｃ−ｃ断面図、（ｄ）は図（ｃ）におけるｄ−ｄ端面図、（ｅ）は図（ａ）におけるｅ−ｅ端面図、図２（ａ）は左側面図、（ｂ）は部分省略底面図、（ｃ）は部分拡大平面図（第２のブラシ部１２の平面図）である。
【０００７】
この実施の形態のブラシは、靴を洗うのに適した靴用ブラシとして構成されている。
図１および図２に示すように、この靴用ブラシは、合成樹脂（例えばポリエチレン）製の板状基部１０と、この板状の基部１０に一体的に設けられた合成樹脂製の棒状の把持部２０とを備えている。すなわち、板状基部１０および把持部２０は合成樹脂（例えばポリエチレン）による一体成型品である。
【０００８】
板状基部１０の一方の面１０ａには、第１のブラシ部１１が植毛されており、他方の面１０ｂには、第２のブラシ部１２が一体的に成形されている。図２（ｂ）において、１６は第１のブラシ部１１を植毛するための穴であり、全部で５８個設けられている。第１のブラシ部１１は靴（図示せず）の内面を洗うのに適するように比較的細い毛で柔らかく形成してあり、第２のブラシ部１２は、靴の底面（靴底の底面）を洗うのに適するようにその基部１２ａを比較的太くして硬めに形成してある。なお、第１のブラシ部１１を形成する毛は、例えばナイロンで形成する。
板状基部１０における、把持部２０が設けられている部位と反対側に位置する先端部１０ｃには、靴（図示せず）の内側のつま先部を洗うための第３のブラシ部１３が基部１０と一体的に成形されている。この第３のブラシ部１３は、靴内のつま先部分の洗うのに適するように、また、つま先部分に詰まった埃等を除去するのに適するように、その基部１３ａを比較的太くして硬めに形成してある。
【０００９】
板状基部１０には、その周縁部１０ｄの内側に沿うＵ字型のスリット１４が形成されており、このＵ字型のスリット１４の両端部に対応する部位１５，１５の弾性により、この部位１５，１５を中心として板状基部１０は回動可能となっている。すなわち、Ｕ字型のスリット１４が形成されていることで、その両端部に対応する部位１５，１５は、その弾性によってヒンジに類する機能を果たすようになっている。
板状基部１０における前記第１のブラシ部１１が設けられた面１０ａと反対側の面１０ｂにおける、前記Ｕ字型のスリット１４で区画された内方の部位１７には、凹状に形成された指当て部１８が設けられている。また、板状基部１０と把持部２０との連結部分にも凹状の指当て部１９が設けられている。この指当て部１９は板状基部１０および把持部２０を形成する際の肉抜き部でもある。
【００１０】
板状基部１０および把持部２０の全体形状は、図１（ｃ）に示すように、正面視で緩やかな略Ｓ字状に形成されており、把持部２０を持って靴を洗う際、第１のブラシ部１１で靴内の底部および側部を洗いやすく、また、第２のブラシ部１２で靴底を洗いやすく、さらに、第３のブラシ部１３で靴内のつま先部を洗いやすい形状となっている。
把持部２０の他端部（後端部）２１には、靴底に挟まった小石等を除去するための突起部２２が設けられている。この突起部２２は、把持部２０と一体的にへら状に形成されている。
【００１１】
以上のようなブラシによれば、次のような作用効果が得られる。
（ａ）合成樹脂製の基部１０と第２，第３のブラシ部１２，１３とが一体的に成形されているので、ブラシ部１２，１３を植毛する必要がなくなる。
したがって、生産性に優れたものとなる。
（ｂ）合成樹脂製の板状基部１０の一方の面１０ａに第１のブラシ部１１が植毛され、他方の面１０ｂに、第２のブラシ部１２が一体的に成形されているので、これら第１，第２のブラシ部１１，１２を使い分けることができる。第１のブラシ部１１は植毛により形成されるので、比較的柔らかいブラシ部とすることができ、第２のブラシ部１２は基部１０に一体的に成形されるので、比較的硬めのブラシ部とすることができる。
そして、第２のブラシ部１２は基部１０に植毛によってではなく一体的に成形されているので、植毛に要する板状基部１０の厚み（前記穴１６と同様な穴を設けるための厚さ）が不要となる。
したがって、このブラシによれば、板状基部１０の両面１０ａ、１０ｂに異なる種類のブラシ部１１，１２が設けられているにもかかわらず、板状基部１０を必ずしも厚く形成する必要がなくなる。すなわち板状基部１０を薄く構成することが可能となる。
（ｃ）合成樹脂製の板状基部１０と、この板状基部１０の少なくとも一方の面１０ａに設けられたブラシ部１１と、板状基部１０に一体的に設けられた把持部２０とを備えているので、把持部２０をもってブラシ部１１で洗浄対象（この場合靴）を洗浄することができる。
そして、板状基部１０には、その周縁部１０ｄ内側に沿うＵ字型のスリット１４が形成されているので、この板状基部１０は、Ｕ字型のスリット１４の両端部に対応する部位１５を中心として回動可能となる。しかも、この板状基部１０は、Ｕ字型のスリット１４の両端部１５に対応する部位を中心として回動可能となっているので、撓みが生じ難くなり、結果として、ブラシ部１１の先端面１１ａが湾曲し難くなる。
したがって、洗浄対象に対してブラシ面１１ａをフィットさせて洗浄することが可能となる。
また、板状基部１０は、Ｕ字型のスリット１４の両端部１５に対応する部位を中心として回動可能となっているので、ボールジョイント等が不要となり、構造が簡単になる。
すなわち、このブラシによれば、ブラシ部１１を設けた基部１０が回動可能でありながら、構造が簡単で、ブラシ部１１の先端面１１ａが湾曲し難いという効果が得られる。
（ｄ）板状基部１０における第１のブラシ部１１が設けられた面１０ａと反対側の面１０ｂにおける前記Ｕ字型のスリット１４で区画された内方の部位１７に、凹状に形成された指当て部１８が設けられているので、この指当て部に指（例えば、親指あるいは人差し指等）を当てて洗浄対象を強く洗浄することが可能となる。
また、板状基部１０と把持部２０との連結部分にも凹状の指当て部１９が設けられているので、この指当て部１９に指を当てて洗浄対象を強く洗浄することもでき、この場合には、板状基部１０が回動可能となるので、洗浄対象に対してブラシ面１１ａをフィットさせて洗浄することが可能となる。
（ｅ）基部１０には棒状の把持部２０が設けられており、この把持部２０が設けられている基部１０の反対側の先端部１０ｃに、靴の内側のつま先部を洗うためのブラシ部１３が基部１０と一体的に成形されているので、靴の内側のつま先部を良好に洗うことができる。しかも、このブラシ部１３は、基部１０と一体的に成形されているので、比較的硬めにすることができる。
したがって、靴の内側のつま先部に詰まった埃等を良好に除去することができる。
（ｆ）第１のブラシ部１１は靴の内面を洗うためのブラシ部であり、第２のブラシ部１２は、靴の底面を洗うためのブラシ部であるので、両ブラシを使い分けて靴の内面および底面を良好に洗うことができる。
（ｇ）棒状把持部２０の一端に靴を洗うためのブラシ部１１，１２，１３が設けられ、他端部２１に、靴底に挟まった小石等を除去するための突起部２２が設けられているので、ブラシ部１１，１２，１３で靴を洗い、靴底に小石等が挟まっている場合には、これを突起部２２で除去することができる。
【００１２】
以上、本発明の実施の形態について説明したが、本発明は上記の実施の形態に限定されるものではなく、本発明の要旨の範囲内において適宜変形実施可能である。
【００１３】
【図面の簡単な説明】
【図１】本発明に係るブラシの一実施の形態を示す図で、（ａ）は部分省略平面図、（ｂ）は部分省略正面図、（ｃ）は図（ａ）におけるｃ−ｃ断面図、（ｄ）は図（ｃ）におけるｄ−ｄ端面図、（ｅ）は図（ａ）におけるｅ−ｅ端面図。
【図２】同実施の形態を示す図で、（ａ）は左側面図、（ｂ）は部分省略底面図、（ｃ）は部分拡大平面図（第２のブラシ部１２の平面図）。
【図３】（ａ）（ｂ）は従来技術の説明図。
【符号の説明】
１０    板状基部（基部）
１１    第１のブラシ部
１２    第２のブラシ部
１３    第３のブラシ部
１４    Ｕ字型のスリット
１８    指当て部
２０    把持部
２２    突起部
【図１】
0004301380.tif 000002
【図２】
0004301380.tif 000003
【図３】
0004301380.tif 000004